(57)【要約】      （修正有）【課題】簡単な構成により、収納庫の扉からの収容物品の出し入れ操作を、簡単に効率よく行なうことができるようにした収納庫を提供する。【解決手段】内部に収納室６を有する収納庫本体１と、収納室６に収納される物品２０を出し入れするための開口部７と、閉塞あるいは開放するための扉８と、収納室６内の背面１３側から開口部７側に向かって設けられた案内部材１２と、物品２０を収納する収納部１８を設けると共に、案内部材１２に摺動自在に取り付けられる摺動部材１９を設け、摺動される引き出し１４と、一端２８を扉８に回動自在に連結され、他端３０を引き出し１４に回動自在に連結された連動板２７とを備え、扉８を開放させることにより、引き出し１４を収納室６の背面１３側から開口部７側に向かって移動させ、扉８を閉塞させることにより、引き出し１４を開口部７側から収納室６の背面１３側に向かって移動させるようにした。【選択図】図１
0003112237.tif 000002
【実用新案登録請求の範囲】
【請求項１】
内部に収納室を有する収納庫本体と、
この収納庫本体の収納室に収納される物品を出し入れするための開口部と、
この開口部に設けられ、開口部を閉塞あるいは開放するための扉と、
前記収納庫本体の収納室内に、この収納室内の背面側から前記開口部側に向かって設
けられた案内部材と、
物品を収納する収納部を設けると共に、前記案内部材に摺動自在に取り付けられる摺
動部材を設け、この摺動部材を介して前記案内部材に沿って摺動される引き出しと、
一端を前記扉に回動自在に連結され、他端を前記引き出しに回動自在に連結された連
動板とを備え、
前記扉を開放させることにより、前記連動板を介して前記扉の開放動作と連動させ、
前記引き出しを前記収納室の背面側から前記開口部側に向かって移動させ、
前記扉を閉塞させることにより、前記連動板を介して前記扉の閉塞動作と連動させ、
前記引き出しを前記開口部側から前記収納室の背面側に向かって移動させるようにしたこ
とを特徴とする収納庫。
【請求項２】
案内部材は、前記収納庫の収納室内にあって、この収納室を形成する底板に取り付け
られると共に、摺動部材は、前記引き出しの底板の下面にあって、引き出しの幅方向の略
中心に沿って取り付けられ、前記案内部材および前記摺動部材が互いに対向し摺動し合う
ようにした請求項１記載の収納庫。
【請求項３】
引き出しは、物品を収納する収納箱を、前記引き出しの収納部に着脱自在に設けるよ
うにした請求項１記載の収納庫。
【請求項４】
引き出しは、この引き出しに前記収納箱を取り付けた際、前記収納箱の底板と前記引
き出しの底板との間に介在され、前記収納箱を受けて支持する支持部材を設け、
連動板は、連動板の一端を、前記扉のヒンジの近傍に回動自在に連結すると共に、連
動板の他端を、前記収納箱の底板と前記引き出しの底板との間に形成された間隙部に臨ま
せ、前記引き出しに回動自在に連結するようにした請求項３記載の収納庫。
【考案の詳細な説明】
【技術分野】
【０００１】
本考案は、物品を出し入れするための開口部に、扉を設けるようにした収納庫に関す
るもので、詳しくは、扉からの収容物品の出し入れ操作を、簡単に効率良く行なえるよう
にした収納庫に関する。
【背景技術】
【０００２】
従来の収納庫は、収納物品の出し入れのため開口部を設け、この開口部に扉を設けて
いる。そして、この収納庫から物品を出し入れするには、扉を開放させて行なうようにし
ている。しかしながら収納庫の扉を開放させた状態であっても、収納庫に奥行があるため
内部の奥に収納した物品が見えにくく、どのような物品であるか把握するのが困難である
という欠点があった。さらに所望の物品を取り出そうとしても、迅速に取り出すのが困難
であると共に、物品を収納する場合にも迅速に収納することができないという欠点があっ
た。
【考案の開示】
【考案が解決しようとする課題】
【０００３】
本考案は、前記した問題点を解決するためになされたもので、簡単な構成により、収
納庫の扉からの収容物品の出し入れ操作を、簡単に効率よく行なうことができるようにし
た収納庫を提供することを目的とする。
【課題を解決するための手段】
【０００４】
前記した問題を解決するための本考案の手段は、内部に収納室を有する収納庫本体と
、この収納庫本体の収納室に収納される物品を出し入れするための開口部と、この開口部
に設けられ、開口部を閉塞あるいは開放するための扉と、前記収納庫本体の収納室内に、
この収納室内の背面側から前記開口部側に向かって設けられた案内部材と、物品を収納す
る収納部を設けると共に、前記案内部材に摺動自在に取り付けられる摺動部材を設け、こ
の摺動部材を介して前記案内部材に沿って摺動される引き出しと、一端を前記扉に回動自
在に連結され、他端を前記引き出しに回動自在に連結された連動板とを備え、前記扉を開
放させることにより、前記連動板を介して前記扉の開放動作と連動させ、前記引き出しを
前記収納室の背面側から前記開口部側に向かって移動させ、前記扉を閉塞させることによ
り、前記連動板を介して前記扉の閉塞動作と連動させ、前記引き出しを前記開口部側から
前記収納室の背面側に向かって移動させるようにしたものである。
【０００５】
また請求項２記載の収納庫は、請求項１記載の収納庫において、案内部材は、前記収
納庫の収納室内にあって、この収納室を形成する底板に取り付けられると共に、摺動部材
は、前記引き出しの底板の下面にあって、引き出しの幅方向の略中心に沿って取り付けら
れ、前記案内部材および前記摺動部材が互いに対向し摺動し合うようにしたものである。
【０００６】
また請求項３記載の収納庫は、請求項１記載の収納庫において、引き出しは、物品を
収納する収納箱を、前記引き出しの収納部に着脱自在に設けるようにしたものである。
【０００７】
さらに請求項４記載の収納庫は、請求項３記載の収納庫において、引き出しは、この
引き出しに前記収納箱を取り付けた際、前記収納箱の底板と前記引き出しの底板との間に
介在され、前記収納箱を受けて支持する支持部材を設け、連動板は、連動板の一端を、前
記扉のヒンジの近傍に回動自在に連結すると共に、連動板の他端を、前記収納箱の底板と
前記引き出しの底板との間に形成された間隙部に臨ませ、前記引き出しに回動自在に連結
するようにしたものである。
【考案の効果】
【０００８】
請求項１記載の収納庫によれば、引き出しと扉とを連動板を介して連結させ、扉を開
放させることにより、扉の開放動作と連動させ、引き出しを収納室の背面側から開口部側
に向かって移動させ、扉を閉塞させることにより、連動板を介して扉の閉塞動作と連動さ
せ、引き出しを開口部側から収納室の背面側に向かって移動させるようにしたため、収納
室の内部の奥に収納した物品も、簡単に把握することができる。また所望の物品を迅速に
取り出すことができると共に、物品を収納する場合も簡単に収納することができる。その
ため収納庫の扉からの収容物品の出し入れ操作を、簡単に効率よく行なうことができる。
【０００９】
また、請求項２記載の収納庫によれば、収納庫の案内部材は、収納室の底板に取り付けると共に、摺動部材は、引き出しの底板の下面にあって、引き出しの幅方向の略中心に沿って取り付け、互いに対向し摺動し合うようにしたため、引き出しの摺動動作も、１組の案内部材と摺動部材とで安定した摺動動作を行なえる。また案内部材は、摺動部材との摺動作用を行なうと同時に、収納室内の底板の補強作用をも兼ねるため、収納庫をより強固なものとすることができる。
【００１０】
また、請求項３記載の収納庫によれば、引き出しは、物品を収納するための収納箱を、
引き出しの収納部に着脱自在に設けるようにしたため、多量の物品を一度に収納したり取
り出したりする場合には、収納箱を引き出しから外し収納庫の外に取り出すことができる
ため、多量の物品を収納箱ごと出し入れ操作が可能となり、出し入れ操作をより効率よく
行なえる。
【００１１】
更に、さらに請求項４記載の収納庫によれば、連動板の一端を、扉のヒンジの近傍に回動自在に連結すると共に、連動板の他端を、収納箱の底板と引き出しの底板との間に介在させた支持部材により形成させた間隙部に臨ませ、引き出しに回動自在に連結するようにしたため、扉開放時に、連動板が収納庫の庫外にとび出る部分を少なくすることができ、連動板が物品の出し入れ操作の妨げにならないようにできる。また間隙部をより有効に活用し、収納庫の庫内スペースをより拡大できると共に、支持部材により線接触的に摺動し合う引き出しと収納箱とは、円滑な摺動がなされ、収納箱を引き出しから簡単に取り外すことができる。
【実施例】
【００１２】
以下、本考案の収納庫の一実施例について図面に従って説明する。１は収納庫本体で
、底板２、側板３、３、背板４および上板５とで、全体を箱状に形成し、内部に収納室６
を設けてある。また７は、この収納室６に収納される物品を出し入れするための開口部で
ある。８は、この開口部７に設けられ、ヒンジ９を介して回動され開口部７を閉塞あるい
は開放するための扉である。この扉８には把手１０および化粧板１１を設けてある。１２
は収納庫１の収納室６内に、この収納室６内の背面１３側から開口部７側に向かって、底
板２上に設けられた案内部材である。また１４は底板１５、側板１６、１６および背板１
７とで形成し、物品を収納する収納部１８を設けた引き出しである。この引き出し１４は
扉８側に位置する側部、および上部を開放してある。１９は、この引き出し１４の底板１
５の下面であって引き出し１４の幅方向、つまり側板１６と１６との間の略中心に沿って
取り付けられ、案内部材１２に摺動自在に取り付けられる摺動部材である。そして引き出
し１４は、この摺動部材１９を介して案内部材１２に沿って摺動し移動される。また引き
出し１４は、物品２０を収納する収納箱２１を、引き出し１４の収納部１８に着脱自在に
設けるようにしてある。この収納箱２１は底板２２、側板２３、２３、背板２４および前
板２５とで、上部を開放した箱状に形成させてある。さらに引き出し１４には、引き出し
１４に収納箱２１を装着し取り付けた際、収納箱２１の底板２２と引き出し１４の底板１
５との間に介在され、収納箱２１を受けて支持する支持部材２６を、底板１５の両側部に
設けている。
【００１３】
２７は連動板であり、この連動板２７は、一端２８を、扉８のヒンジ９の近傍に支持
軸２９を介して回動自在に連結すると共に、他端３０を、収納箱２１の底板２２と引き出
し１４の底板１５との間に形成された間隙部３１に臨ませ、引き出し１４の端部の幅方向
、つまり側板１６、１６との間の略中心に作動軸３２を介して回動自在に連結させてある
。そのため扉８を開閉操作することにより、引き出し１４および収納箱２１は連動板２７
を介して扉８の開閉動作に連動し、案内部材１２に沿って移動される。
【００１４】
次いで、以上のように構成する収納庫の動作について説明する。図１は収納庫１の扉
８を閉塞させ、引き出し１４と収納箱２１とを収納室６に位置させた状態を示す。そして
収納庫１に物品を収納するには、図１の矢印の向きに把手１０を介して扉８を開放させる
。扉８を開放させることにより、連動板２７を介して扉８の開放動作と連動し、引き出し
１４は収納室６の背面１３側から開口部７側に向かって移動され、図２の状態となる。こ
の移動は摺動部材１９と案内部材１２の摺動作用により円滑に移動される。そして引き出
し１４の収納箱２１の内部に物品２０を収納する。物品２０の収納の際は、扉８の開放動
作と連動し、引き出し１４および収納箱２１が開口部７側に移動されているため、収納操
作を簡単に効率よく行なえる。
【００１５】
なお、収納する物品２０が多量にある場合は、図２に鎖線で示すように収納箱２１を引き出し１４から取り外し、収納庫１の外に置き、物品２０を収納すれば、収納操作をより簡単に効率よく行なうことができる。なお。収納箱２１は図示しないが、その収納箱２１の内部に、縦横に板を組み格子状にした仕切りを着脱自在に入れるようにすれば、化粧瓶等の小物類を整理して収納することができる。この場合、本等の大物を入れる際には、格子状の仕切りを取り外せばよい。そして物品２０の収納箱２１への収納が終了したら、物品２０を収納した状態の収納箱２１を、引き出し１４の収納部１８へ戻し装着させる。さらに引き出し１４を収納庫１の収納室６の元の位置へ戻すには、図１の矢印の向きと逆向きに扉８を閉塞させる。扉８を閉塞させることにより、連動板２７を介して扉８の閉塞動作と連動し、引き出し１４は収納室６の開口部７側から背面１３側へ向かって移動され、
図３の状態に収納される。
【００１６】
また、さらに、収納した物品２０を使用するため収納室６内から取り出したり、あるいは、さらに別の物品２０を収納したりする場合には、前述の図１と同様、矢印の向きに扉８を開放させることにより、連動板２７を介して、扉８の開放動作と連動し、図４に示すように引き出し１４および収納箱２１が開口部７側に移動されているため、物品２０の出し入れ操作を簡単に効率よく行なえる。
【００１７】
また、図６は連動板２７を介して、扉８の開閉動作と連動する引き出し１４および収納箱２１が移動する状態を示すものである。この図に示すように、連動板２７の一端２８を扉８のヒンジ９の近傍に連結することにより、扉８の開放時に連動板２７が収納庫１の庫外にとび出る部分を少なくすることができ、物品２０の出し入れ操作をする際、連動板２７が操作の妨げにならない。また図５に示すように、連動板２７の他端３０を間隙部３１に臨ませ、引き出し１４に連結させてあるため、間隙部３１をより有効に活用し収納庫１の庫内スペースをより拡大できる。さらに摺動部材１９は、図５に示すように引き出し１４の底板１５の下面にあって、引き出し１４の幅方向の略中心に取り付け、案内部材１２と対向し摺動し合うようにしたため、引き出し１４の摺動動作も、対向する１組の案内部材１２と摺動部材１９とで安定した摺動動作を行なえる。また図示しないが収納庫１の扉８は、実施例では右開きの扉８で示したが、これは、左開きの扉で構成させてもよい。この場合は、左開き用に他の部品も対応させればよい。また引き出し１４の移動範囲、移動位置等は、収納庫１の大きさ、形状等に応じて、種々の適切な形態に設定すればよい。
【００１８】
なお、同一部分に同一符号を付して示す図７は、図１の収納庫１と異なる形態を示す収納庫を示すものである。つまり図７は図１の収納庫１が、引き出し１４の幅方向の略中心に摺動部材１９を１つ設けたのに対して、引き出し１４の幅が大きなものの場合などは、
複数個、例えば左右に２つ設けてもよいことを示すものである。なお、この場合には、２
つの摺動部材１９に対向させ、２つの案内部材１２を設ける。また図１の収納庫１の連動
板２７の他端３０が、引き出し１４の底板１５の上面に連結したのに対して、底板１５の
下面に連結してもよいことを示すものである。さらに図１の収納庫１の引き出し１４が、
この引き出し１４の収納部１８に収納箱２１を設けるようにしたのに対して、この収納箱
２１を設けずに、直接引き出し１４に物品２０を収納するようにしてもよいことを示す。
この場合は開口部７側を開放させないで、前板３３を設けるようにする。この図７の収納
庫１も図１の収納庫１と同様の作用効果を有する。
【００１９】
更に、同一部分に同一符号を付して示す図８、図９は、図１の収納庫１と異なる形態
の収納庫として適用した場合を示すものである。つまり図８は収納庫１を机３４に組み込
んだ形態を示すもので、引き出し３５と共に、扉８を備えた収納庫１を組み込むようにし
たものである。また図９は収納庫１を郵便受３６に適用した場合を示すものである。３７
は図１の収納庫１の背板４に相当する部位に設けた郵便物の投入口である。なお図示しな
いが、収納庫１は、この他に食器棚、書棚、チェスト等、各種の収納庫として適用できる
ことは勿論である。これら図８、図９の収納庫３８、３９も、詳細は図示しないが、図１
の収納庫１と同様の作用効果を有する。
【００２０】
以上のように、収納庫１は簡単な構成により、収納庫１の扉８からの収納物品の出し
入れ操作を、簡単に効率よく行なうことができる。
【図面の簡単な説明】
【００２１】
【図１】本考案の収納庫の一実施例を示す斜視図である。
【図２】図１の収納庫の扉を開放した動作状態を示す斜視図である。
【図３】本考案の収納庫の一実施例を示す概略縦断面図である。
【図４】図３の収納庫の扉を開放した動作状態を示す概略縦断面図である。
【図５】図３をＡ−Ａ線に沿って切断した概略断面図である。
【図６】図３をＢ−Ｂ線に沿って切断した概略断面図である。
【図７】図１の収納庫と異なる他の形態を示す、本考案の収納庫の、扉を開放した動作状態を示す概略正面図である。
【図８】本考案の収納庫を机に適用した場合の一実施例を示す正面図である。
【図９】本考案の収納庫を郵便受に適用した場合の一実施例を示す斜視図である。
【符号の説明】
【００２２】
１        収納庫
６        収納室
７        開口部
８        扉
12        案内部材
14        引き出し
18        収納部
19        摺動部材
20        物品
21        収納箱
27        連動板
【図１】
0003112237.tif 000003
【図２】
0003112237.tif 000004
【図３】
0003112237.tif 000005
【図４】
0003112237.tif 000006
【図５】
0003112237.tif 000007
【図６】
0003112237.tif 000008
【図７】
0003112237.tif 000009
【図８】
0003112237.tif 000010
【図９】
0003112237.tif 000011